(57)【要約】【課題】  漏水等の発生の有無を判断するのに、作業者の技量、経験を必要とせず、又、簡易に経過情報等を把握することができる水道管路監視装置を提供する。【解決手段】水道管路監視装置１を、複数のデータ収集装置２と、各データ収集装置２と無線によってデータを送受信することができるデータ分析装置３とから構成する。データ収集装置２は、１日に所定時間に亘って所定間隔で音圧値を測定し、記録すると共に、測定された時間における最小音圧値を抽出し、保存する。又、最小音圧値データを設定された音圧閾値と比較し、最小音圧値データと音圧閾値との大小によって、漏水等の異常の発生の有無を判定する。データ分析装置３は、表示装置３２の画面において、判定結果マーク４２及び最小音圧値４３を表示する。【選択図】  図４
2015075440.tif 000002
【特許請求の範囲】
【請求項１】
複数のデータ収集装置と、これらデータ収集装置と無線によってデータを送受信することができるデータ分析装置とから構成される水道管路監視装置であって、前記データ収集装置は、１日に所定時間に亘って所定間隔で音圧値を測定し、記録すると共に、測定された時間における最小音圧値を抽出し、保存し、最小音圧値データを任意に設定された音圧閾値と比較し、最小音圧値データと音圧閾値との大小によって、漏水等の異常の発生の有無を判定することを特徴とする水道管路監視装置。
【請求項２】
前記データ分析装置は、複数の前記データ収集装置から所定時間に亘る音圧値データ、最小音圧値データ、及び、判定結果を受信することを特徴とする請求項１に記載の水道管路監視装置。
【請求項３】
前記データ分析装置は、その表示装置の画面において、判定結果マーク及び最小音圧値を表示することを特徴とする請求項２に記載の水道管路監視装置。
【請求項４】
前記判定結果マークとして、雫を図案化したものを使用し、雫が１〜３になるのに従ってレベルＬＶ１〜３の異常判定に対応させることを特徴とする請求項３に記載の水道管路監視装置。
【請求項５】
前記データ分析装置は、表示装置の画面において、前記データ収集装置の音圧値データを各種グラフにして表示することを特徴とする請求項１乃至４の何れかに記載の水道管路監視装置。
【請求項６】
前記データ収集装置は、さらに、管路における瞬間的な極小値を無効な音圧値データとして除去する不連続除去フィルタを採用したことを特徴とする請求項１乃至５の何れかに記載の水道管路監視装置。
【発明の詳細な説明】
【技術分野】
【０００１】
本発明は、水道管路における漏水、水撃等の発生の有無、水の使用実態状況等を監視する水道管路監視装置に関する。
【背景技術】
【０００２】
従来、水道管路の途中に設置されている多数の消火栓、空気弁等に音圧検出装置及びデータ記録装置を設置し、音圧を長時間自動検出すると共に、データ記録装置によりメモリカードに自動記録し、この多数のメモリカードに記録した音圧データをコンピュータに入力して処理、解析、保存することによって、水道管路の監視を行っていた（特許文献１参照）。
【０００３】
しかし、この方法では、作業者がデータ記録装置の設置個所を巡廻し、一々、メモリカードを収集しなければならず、データの収集に時間がかかると共に、音圧データをコンピュータに入力しなければ、漏水、水撃等の発生の有無、水の使用実態状況等を知ることはできなかった。
【０００４】
かかる不都合を解消するため、音圧検出装置とデータ記録装置を一体化させたデータ収集装置と、携帯可能なデータ分析装置から構成され、作業者がデータ分析装置を携帯して巡廻する間に、データ収集装置から音圧データをデータ分析装置に無線で送信する水道管路監視装置が開発された。
【０００５】
上記水道管路監視装置によれば、一々、メモリカードを収集する必要はなく、作業者の労力を大幅に軽減することができると共に、データ分析装置によって漏水、水撃等の発生の有無、水の使用実態状況等を直ちに確認することができる。
【先行技術文献】
【特許文献】
【０００６】
【特許文献１】特開平６−１８６１２６号公報
【発明の概要】
【発明が解決しようとする課題】
【０００７】
上記水道管路監視装置では、データ収集装置において、複数日間に亘って音圧データを記録することができ、データ分析装置において、それら音圧データを受信して、表示装置に数値表示することによって、漏水、水撃等の発生の有無、水の使用実態状況等を確認していた。
【０００８】
しかし、データ分析装置において、音圧データを数値表示することによって、漏水等の発生の有無を確認するのでは、どの程度の音圧値であれば漏水等が発生しているのか、作業者の技量、経験によって判断が異なり、判断ミスを生じやすい。
【０００９】
又、データ分析装置において、音圧データを数値表示することによって、水の使用実態状況等を確認するのでは、表示装置に数値表示された音圧データを出力装置によって紙面に印字しなければ、経過情報等を確実に把握することができない。
【００１０】
本発明は、かかる問題点を解消すべく為されたものであって、漏水等の発生の有無を判断するのに、作業者の技量、経験を必要とせず、又、紙面に印字しなくとも、簡易に経過情報等を把握することができる水道管路監視装置を提供することを目的とする。
【課題を解決するための手段】
【００１１】
上記目的を達成するために、本発明の水道管路監視装置は、複数のデータ収集装置と、これらデータ収集装置と無線によってデータを送受信することができるデータ分析装置とから構成され、前記データ収集装置は、１日に所定時間に亘って所定間隔で音圧値を測定し、記録すると共に、測定された時間における最小音圧値を抽出し、保存し、最小音圧値データを任意に設定された音圧閾値と比較し、最小音圧値データと音圧閾値との大小によって、漏水等の異常の発生の有無を判定することを特徴とする。
【００１２】
前記データ分析装置は、複数の前記データ収集装置から所定時間に亘る音圧値データ、最小音圧値データ、及び、判定結果を受信することを特徴とする。
【００１３】
又、前記データ分析装置は、表示装置の画面において、判定結果マーク及び最小音圧値を表示することを特徴とする。
【００１４】
ここで、前記判定結果マークとして、雫を図案化したものを使用し、雫が１〜３になるのに従って、レベルＬＶ１〜３の異常判定に対応させれば、容易に視覚的に把握することができ、好ましい。
【００１５】
又、前記データ分析装置は、表示装置の画面において、前記データ収集装置の音圧値データを各種グラフにして表示することを特徴とする。
【００１６】
さらに、管路における定常音といえども変動しており、その瞬間的な極小値を無効な音圧値データとして除去するため、不連続除去フィルタを採用するのが好ましい。
【発明の効果】
【００１７】
本発明の水道管路監視装置によれば、設定した音圧閾値によって漏水等の発生の有無を判定し、そのレベルを判定結果マークによって図案表示するから、作業者の技量、経験によって漏水等の判断が異なることはなく、判断ミスを生じることはない。
【００１８】
又、データ分析装置において、音圧値データを各種グラフにして画面表示することができるから、出力装置によって紙面に印字する必要はなく、経過情報等を確実に視覚的に把握することができる。
【図面の簡単な説明】
【００１９】
【図１】水道管路監視装置の説明図である。
【図２】データ収集装置の外観図である。
【図３】データ分析装置の外観図である。
【図４】水道管路監視装置におけるデータ処理の概要を示す説明図である。
【図５】データ収集装置において保存されるデータを示す説明図である。
【図６】データ収集装置において実行される判定フローを示す説明図である。
【図７】データ受信時におけるデータ分析装置の表示画面を示す図である。
【図８】データ整列時におけるデータ分析装置の表示画面を示す図である。
【図９】最小音圧値の推移を示すグラフを画面表示した図である。
【図１０】１日における音圧値の分布を示すグラフを画面表示した図である。
【図１１】１日における音圧値の分布を６分割して示すグラフを画面表示した図である。
【発明を実施するための形態】
【００２０】
先ず、本発明の水道管路監視装置について、図１乃至３を参照して説明する。
【００２１】
水道管路監視装置１は、図１に示すように、複数のデータ収集装置２と、データ分析装置３と、から構成され、データ収集装置２とデータ分析装置３とは無線によってコマンド及びデータを送受信するようになっている。
【００２２】
データ収集装置２は、図２に示すように、下端部に音圧センサ２１を配置し、上端部にアンテナ２２と把持部材２３を配置してある。
そして、把持部材２３を把持して携帯し、図１に示すように、水道管路Ｌの制御弁、消火栓、メータ等の付帯設備に設置される。
【００２３】
データ分析装置３は、図３に示すように、筐体３１の表面部に表示装置３２と操作ボタン３３を配置し、上端部にアンテナ３４を配置してある。
そして、データ収集装置２から受信したデータを処理、解析して、表示装置３２に数値表示、グラフ表示、図形表示等できるようになっている。
【００２４】
データ収集装置２は、生活音の少ない深夜の時間帯に２時間（２〜４時）、所定の間隔（１〜６０秒）で音圧値を記録し、測定された２時間において最小音圧値を漏水判定に使用する音圧データとする。
漏水音は継続して発生するものであって、音の大きさが急に変化することは基本的にはない。音が急に大きくなる要因としては、生活音、自動販売機等の電気機器の動作音等が考えられるが、２時間発生し続けることはない。よって、最小音圧値を監視すれば、水道管路から本来発生する音の大きさがわかることになる。
そして、本来発生する音の大きさを基準として所定の閾値を設ければ、この閾値を大幅に超えた最小音圧値を示す個所は、何等かの異常音が発生しているとして、漏水が発生していることを判定することができる。
【００２５】
データ収集装置２では、図４に示すように、１日に２時間に亘って所定間隔で音圧値を測定し、記録する。又、測定された２時間における最小音圧値を抽出し、保存する。
そして、図５に示すように、複数日間（最大３５日間）に亘って、２時間に亘る音圧値及び最小音圧値を保存する。ここで、３５日以降も保存は継続されるが、その場合には、古いデータは消去され、常に最新の３５日分のデータが保存される。
【００２６】
次に、データ収集装置２において実行される漏水等の異常状態判定方法について、図６に示す判定フロー図を基に説明する。
【００２７】
異常状態判定の対象データとしては、直近日の音圧値データを使用するが、先ず、これら音圧値データから不連続除去フィルタによって無効な音圧値データを除去する。
データ収集装置２は、管路における最小音圧値を利用して漏水等を発見するものであるが、管路における定常音といえども変動しており、その瞬間的な極小値を最小音圧値と把握してしまうと、異常状態判定を誤ることとなる。
よって、このような極小値を無効な音圧値データとして除去するため、不連続除去フィルタを採用している。
【００２８】
不連続除去フィルタは、下記条件１を満たし、かつ、条件２又は３を満たした音圧値データを無効な音圧値データとして除去する。
条件１．最多発生頻度の音圧値未満の音圧値データを除去対象とする。
条件２．他の音圧値と繋がりのない、単独で存在する音圧値データを除去対象とする。
条件３．母集団から離れ、最多発生頻度の音圧値におけるカウント数の１％（少数点以下切り上げ）以下のカウント数の音圧値データを除去対象とする。
【００２９】
先ず、表１のような音圧値データが得られたとすると、除去対象となるデータは、条件１によれば、１５ｄＢ未満のデータであって、さらに、条件２によれば、表１に下線で示すように、０ｄＢ、３ｄＢのデータとなる。
【００３０】
【表１】
2015075440.tif 000003
【００３１】
次に、最多発生頻度の音圧値におけるカウント数は２２０であるから、その１％（少数点以下切り上げ）は３である。
よって、除去対象となるデータは、条件３によれば、表２に下線で示すように、５ｄＢ、６ｄＢのデータとなる。
【００３２】
【表２】
2015075440.tif 000004
【００３３】
従って、表１のような音圧値データから、不連続除去フィルタによって、無効な音圧値データを除去すれば、表３に示すような音圧値データが得られる。
【００３４】
【表３】
2015075440.tif 000005
【００３５】
以上によって、異常状態判定の対象データとする最小音圧値データとしては、表３からわかるように、８ｄＢを抽出することができる。
【００３６】
次に、この最小音圧値データを任意に設定された音圧閾値（ＬＶ１，ＬＶ２，ＬＶ３：ＬＶ１＜ＬＶ２＜ＬＶ３）と比較する。
【００３７】
最小音圧値データがＬＶ１より小さい場合には、異常なしと判定する。次に、最小音圧値データがＬＶ２より小さい場合、ＬＶ３より小さい場合、ＬＶ３より大きい場合には、
それぞれ、レベルＬＶ１〜３の異常と判定する。
【００３８】
このように判定された結果は、図４に示すように、データ収集装置２に保存されると共に、データ分析装置３に送信される。
【００３９】
データ分析装置３では、図４に示すように、複数のデータ収集装置２，２，・・・から２時間に亘る音圧値データ、最小音圧値データ、及び、判定結果を受信する。
図７は、データ受信時における表示装置３２の表示画面を示す図であり、左上部には受信マーク４１、中央部には判定結果マーク４２、最小音圧値４３が表示される。
又、左側部には各データ収集装置２，２・・・の識別番号４４、右側部にはデータ受信日時４５が表示される。
【００４０】
ここで、判定結果マーク４２としては、雫を図案化したものを使用しており、雫が１〜３になるのに従って、レベルＬＶ１〜３の異常判定に対応させてある。
【００４１】
図８は、データ整列時における表示装置３２の表示画面を示す図であり、データ一覧の白黒表示を反転すると、そのデータ収集装置２の音圧値データを各種グラフにして表示することができる。
【００４２】
図９は、最小音圧値の推移を示すグラフを画面表示した図であり、測定期間における最小音圧値の変化を確認することができる。
【００４３】
図１０は、１日における音圧値の分布を示すグラフを画面表示した図であり、１日における測定された音圧値の分布を確認することができる。
【００４４】
図１１は、１日における音圧値の分布を６分割して示すグラフを画面表示した図であり、１日における音圧値の変化を時系列で確認することができる。
【００４５】
以上のように、本発明の水道管路監視装置は、設定した音圧閾値によって漏水等の発生の有無を判定し、そのレベルを判定結果マーク４２によって図案表示するから、作業者の技量、経験によって漏水等の判断が異なることはなく、判断ミスを生じることはない。
【００４６】
又、データ分析装置において、音圧値データを各種グラフにして画面表示することができるから、出力装置によって紙面に印字する必要はなく、経過情報等を確実に視覚的に把握することができる。
【００４７】
さらに、管路における瞬間的な極小値を無効な音圧値データとして除去するため、不連続除去フィルタを採用したから、漏水等の発生の有無の判定の精度をより向上させることができる。
【符号の説明】
【００４８】
１  水道管路監視装
２  データ収集装置
２１  音圧センサ
２２  アンテナ
３  データ分析装置
３２  表示装置
３４  アンテナ
４２  判定結果マーク
４３  最小音圧値
４４  識別番号
４５  データ受信日時
Ｌ  水道管路
【図１】
2015075440.tif 000006
【図２】
2015075440.tif 000007
【図３】
2015075440.tif 000008
【図４】
2015075440.tif 000009
【図５】
2015075440.tif 000010
【図６】
2015075440.tif 000011
【図７】
2015075440.tif 000012
【図８】
2015075440.tif 000013
【図９】
2015075440.tif 000014
【図１０】
2015075440.tif 000015
【図１１】
2015075440.tif 000016